(57)【要約】      （修正有）【課題】運動強度がより低く、ヒップアップ及びステッピング機能を有する健康器具を提供する。【解決手段】その内部に動力源が設けられ、動力源はモータ１１でもよく、モータのシャフトに第１ウォームギア１２が固定されるケース１０と、ケースの内部の中央に設けられ、第１ギア２１と、少なくとも一つの第２ウォームギア２２と、が固定され、第１ギアが第１ウォームギアと噛合っている伝動軸２０とを有する。底辺には、少なくとも一つの第１貫通孔３１１と、少なくとも一つの第１枢着軸４１と、が設けられる。また、第１枢着軸の一端に第１止め部４１１が設けられ、第１偏心ブロック５１の第１上偏心穴５１２には、少なくとも一つの第１独立軸の端部６１の第５ロッド６１１が挿入して固定され、第１独立軸の中央に第２ギア６１３が設けられ、第２ギアが第２ウォームギア２２と噛合っている第１Ｕ字形支持枠３１と、を含む。【選択図】図１
0003185551.tif 000002
【実用新案登録請求の範囲】
【請求項１】
その内部に動力源が設けられており、前記動力源はモータでもよく、前記モータのシャフトに第１ウォームギアが固定されているケースと、
水平に置かれるように前記ケースの内部の中央に設けられており、第１ギアと、少なくとも一つの第２ウォームギアと、が固定されており、前記第１ギアが前記第１ウォームギアと噛合っている伝動軸と、
その底辺には、少なくとも一つの第１貫通孔と、少なくとも一つの第１枢着軸と、が設けられており、前記第１枢着軸の一端に第１止め部が設けられており、前記第１枢着軸の第１ロッド段が前記第１貫通孔を挿通した後、前記第１枢着軸の他端の第１ロッドが少なくとも一つの第１偏心ブロックの第１下偏心穴に挿入して固定されており、前記第１偏心ブロックの第１上偏心穴には、少なくとも一つの第１独立軸の端部の第５ロッドが挿入して固定されており、前記第１独立軸の中央に第２ギアが設けられており、前記第２ギアが前記第２ウォームギアと噛合っている第１Ｕ字形支持枠と、
を含む健康器具において、
前記第１Ｕ字形支持枠は、前記ケースの内部に組み付けられており、上に向くように前記ケースから外部に突出しており、前記第１Ｕ字形支持枠の前記ケースから外部に突出する部分の上面に第１プレートが固定されており、
前記モータの前記シャフトは前記第１独立軸を駆動することが可能であり、前記第１独立軸の回転が前記第１偏心ブロックを経由することにより、前記第１枢着軸、前記第１Ｕ字形支持枠及び前記第１プレートは、楕円形軌跡に沿って上下にサイクリングする運動パターンをし、これにより、ユーザの足が前記第１プレートに立っているときには、ユーザがステッピング動作をする状態となり、ユーザが前記第１プレートに座っているときには、ユーザがヒップアップ動作をする状態となることを特徴とする健康器具。
【請求項２】
前記伝動軸には、更に、第３ウォームギアと、第２枢着軸と、が設けられており、前記第１Ｕ字形支持枠の底辺の両側には、第１貫通孔と、第２貫通孔と、が設けられており、前記第２枢着軸の一端に第２止め部が設けられており、前記第２枢着軸の第２ロッド段が前記第２貫通孔を挿通した後、前記第２枢着軸の他端の第２ロッドが第２偏心ブロックの第２下偏心穴に挿入して固定されており、前記第２偏心ブロックの第２上偏心穴には、第２独立軸の端部の第７ロッドが挿入して固定されており、前記第２独立軸の中央に第３ギアが固定されており、前記第３ギアが前記第３ウォームギアと噛合っていることを特徴とする、請求項１に記載の健康器具。
【請求項３】
更に、第２Ｕ字形支持枠と、第３枢着軸と、第４枢着軸と、が設けられており、前記第２Ｕ字形支持枠の底辺の両側には、第３貫通孔と、第４貫通孔と、が設けられており、前記第３枢着軸の一端に第３止め部が設けられており、前記第４枢着軸の一端に第４止め部が設けられており、前記第３枢着軸の第３ロッド段が前記第３貫通孔を挿通した後、前記第３枢着軸の他端の第３ロッドが第３偏心ブロックの第３上偏心穴に挿入して固定されており、前記第３偏心ブロックの第３下偏心穴に前記第１独立軸の端部の第６ロッドが挿入して固定されており、前記第４枢着軸の第４ロッド段が前記第４貫通孔を挿通した後、前記第４枢着軸の他端の第４ロッドが第４偏心ブロックの第４上偏心穴に挿入して固定されており、前記第４偏心ブロックの第４下偏心穴に前記第２独立軸の端部の第８ロッドが挿入して固定されており、前記第２Ｕ字形支持枠は、前記ケースの内部に組み付けられており、上に向くように前記ケースから外部に突出しており、前記第２Ｕ字形支持枠の前記ケースから外部に突出する部分の上面に第２プレートが固定されており、前記モータの前記シャフトが前記第１独立軸と前記第２独立軸とを駆動することが可能であり、前記第１独立軸と前記第２独立軸との回転が前記第１偏心ブロック、前記第２偏心ブロック、前記第３偏心ブロック及び前記第４偏心ブロックを経由することにより、前記第１枢着軸、前記第２枢着軸、前記第３枢着軸、前記第４枢着軸、前記第１Ｕ字形支持枠、前記第２Ｕ字形支持枠、前記第１プレート及び前記第２プレートは、楕円形軌跡に沿って交錯に上下動する運動パターンをし、これにより、ユーザの足が前記第１プレート及び前記第２プレートに立っているときには、ユーザがステッピング動作をする状態となり、ユーザが前記第１プレート及び前記第２プレートに座っているときには、ユーザがヒップアップ動作をする状態となることを特徴とする、請求項２に記載の健康器具。
【請求項４】
前記伝動軸に複数の第１軸受が嵌め設けられており、これらの前記第１軸受により、前記ケースの内部に組み付けられているように前記伝動軸が支持されていることを特徴とする、請求項３に記載の健康器具。
【請求項５】
前記第１独立軸の両側には、第２軸受がそれぞれ設けられており、前記第２軸受により、前記ケースの内部に組み付けられているように前記第１独立軸が支持されていることを特徴とする、請求項３に記載の健康器具。
【請求項６】
前記第２独立軸の両側には、第３軸受がそれぞれ設けられており、前記第３軸受により、前記ケースの内部に組み付けられているように前記第２独立軸が支持されていることを特徴とする、請求項３に記載の健康器具。
【請求項７】
前記ケースには、スポンジスリーブが嵌め設けられていることを特徴とする、請求項１に記載の健康器具。
【請求項８】
その内部にモータが設けられており、前記モータのシャフトに第１ウォームギアが固定されているケースと、
水平に置かれるように前記ケースの内部の中央に設けられており、第１ギアと、第２ウォームギアと、第３ウォームギアと、が固定されており、前記第１ギアが前記第１ウォームギアと噛合っている伝動軸と、
その底辺には、第１貫通孔と、第２貫通孔と、第１枢着軸と、第２枢着軸と、が設けられており、前記第１枢着軸の一端に第１止め部が設けられており、前記第２枢着軸の一端に第２止め部が設けられており、前記第１枢着軸の第１ロッド段が前記第１貫通孔を挿通した後、前記第１枢着軸の他端の第１ロッドが第１偏心ブロックの第１下偏心穴に挿入して固定されており、前記第１偏心ブロックの第１上偏心穴には、第１独立軸の端部の第５ロッドが挿入して固定されており、前記第１独立軸の中央に第２ギアが設けられており、前記第２ギアが前記第２ウォームギアと噛合っており、前記第２枢着軸の第２ロッド段が前記第２貫通孔を挿通した後、前記第２枢着軸の他端の第２ロッドが第２偏心ブロックの第２下偏心穴に挿入して固定されており、前記第２偏心ブロックの第２上偏心穴には、第２独立軸の端部の第７ロッドが挿入して固定されており、前記第２独立軸の中央に第３ギアが設けられており、前記第３ギアが前記第３ウォームギアと噛合っている第１Ｕ字形支持枠と、
その底辺には、第３貫通孔と、第４貫通孔と、第３枢着軸と、第４枢着軸と、が設けられており、前記第３枢着軸の一端に第３止め部が設けられており、前記第４枢着軸の一端に第４止め部が設けられており、前記第３枢着軸の第３ロッド段が前記第３貫通孔を挿通した後、前記第３枢着軸の他端の第３ロッドが第３偏心ブロックの第３上偏心穴に挿入して固定されており、前記第３偏心ブロックの第３下偏心穴には、第１独立軸の端部の第６ロッドが挿入して固定されており、前記第４枢着軸の第４ロッド段が前記第４貫通孔を挿通した後、前記第４枢着軸の他端の第４ロッドが第４偏心ブロックの第４上偏心穴に挿入して固定されており、前記第４偏心ブロックの第４下偏心穴には、第２独立軸の端部の第８ロッドが挿入して固定されている第２Ｕ字形支持枠と、
を含む健康器具において、
前記第１Ｕ字形支持枠は、前記ケースの内部に組み付けられており、上に向くように前記ケースから外部に突出しており、前記第１Ｕ字形支持枠の前記ケースから外部に突出する部分の上面に第１プレートが固定されており、
前記第２Ｕ字形支持枠は、前記ケースの内部に組み付けられており、上に向くように前記ケースから外部に突出しており、前記第２Ｕ字形支持枠の前記ケースから外部に突出する部分の上面に第２プレートが固定されており、
前記モータの前記シャフトが前記第１独立軸と前記第２独立軸とを駆動することが可能であり、前記第１独立軸と前記第２独立軸との回転が前記第１偏心ブロック、前記第２偏心ブロック、前記第３偏心ブロック及び前記第４偏心ブロックを経由することにより、前記第１枢着軸、前記第２枢着軸、前記第３枢着軸、前記第４枢着軸、前記第１Ｕ字形支持枠、前記第２Ｕ字形支持枠、前記第１プレート及び前記第２プレートは、楕円形軌跡に沿って交錯に上下動する運動パターンをし、これにより、ユーザの足が前記第１プレート及び前記第２プレートに立っているときには、ユーザがステッピング動作をする状態となり、ユーザが前記第１プレート及び前記第２プレートに座っているときには、ユーザがヒップアップ動作をする状態となることを特徴とする健康器具。
【請求項９】
前記伝動軸に複数の第１軸受が嵌め設けられており、これらの前記第１軸受により、前記ケースの内部に組み付けられているように前記伝動軸が支持されていることを特徴とする、請求項８に記載の健康器具。
【請求項１０】
前記第１独立軸の両側には、第２軸受がそれぞれ設けられており、前記第２軸受により、前記ケースの内部に組み付けられているように前記第１独立軸が支持されていることを特徴とする、請求項８に記載の健康器具。
【請求項１１】
前記第２独立軸の両側には、第３軸受がそれぞれ設けられており、前記第３軸受により、前記ケースの内部に組み付けられているように前記第２独立軸が支持されていることを特徴とする、請求項８に記載の健康器具。
【請求項１２】
前記ケースには、スポンジスリーブが嵌め設けられていることを特徴とする、請求項８に記載の健康器具。
【考案の詳細な説明】
【技術分野】
【０００１】
本考案は、健康器具に関し、特に、偏心による動力により、二つのプレートを楕円形軌跡に沿って交錯に上下動する運動パターンをして、ユーザの足部及びヒップ部は十分の運動効果を有することが可能な健康器具に関するものである。
【背景技術】
【０００２】
市販している健康器具は、種類が極めて多く、例えばランニングマシン、サイクリングマシン、腹筋トレーニングマシン及び筋トレーニングマシンなどがある。しかし、ヒップアップ及びステッピング機能を有する健康器具が市販されていない。そして従来の健康器具は、運動強度が高く、より低い運動強度を求めるユーザにとって、それらが適合なものとは言えない。
【考案の概要】
【考案が解決しようとする課題】
【０００３】
本考案の主な目的は、運動強度がより低く、ヒップアップ及びステッピング機能を有する健康器具を提供することにある。
【課題を解決するための手段】
【０００４】
本考案の健康器具によると、その内部に動力源が設けられており、動力源はモータでもよく、モータのシャフトに第１ウォームギアが固定されているケースと、
水平に置かれるようにケースの内部の中央に設けられており、第１ギアと、少なくとも一つの第２ウォームギアと、が固定されており、第１ギアが第１ウォームギアと噛合っている伝動軸と、
その底辺には、少なくとも一つの第１貫通孔と、少なくとも一つの第１枢着軸と、が設けられており、第１枢着軸の一端に第１止め部が設けられており、第１枢着軸の第１ロッド段が第１貫通孔を挿通した後、第１枢着軸の他端の第１ロッドが少なくとも一つの第１偏心ブロックの第１下偏心穴に挿入して固定されており、第１偏心ブロックの第１上偏心穴には、少なくとも一つの第１独立軸の端部の第５ロッドが挿入して固定されており、第１独立軸の中央に第２ギアが設けられており、第２ギアが第２ウォームギアと噛合っている第１Ｕ字形支持枠と、
を含む健康器具において、
第１Ｕ字形支持枠は、ケースの内部に組み付けられており、上に向くようにケースから外部に突出しており、第１Ｕ字形支持枠のケースから外部に突出する部分の上面に第１プレートが固定されており、
モータのシャフトは第１独立軸を駆動することが可能であり、第１独立軸の回転が第１偏心ブロックを経由することにより、第１枢着軸、第１Ｕ字形支持枠及び第１プレートは、楕円形軌跡に沿って上下にサイクリングする運動パターンをし、これにより、ユーザの足が第１プレートに立っているときには、ユーザがステッピング動作をする状態となり、ユーザが第１プレートに座っているときには、ユーザがヒップアップ動作をする状態となることを特徴とする。
【０００５】
本考案の健康器具によると、伝動軸には、更に、第３ウォームギアと、第２枢着軸と、が設けられており、第１Ｕ字形支持枠の底辺の両側には、第１貫通孔と、第２貫通孔と、が設けられており、第２枢着軸の一端に第２止め部が設けられており、第２枢着軸の第２ロッド段が第２貫通孔を挿通した後、第２枢着軸の他端の第２ロッドが第２偏心ブロックの第２下偏心穴に挿入して固定されており、第２偏心ブロックの第２上偏心穴には、第２独立軸の端部の第７ロッドが挿入して固定されており、第２独立軸の中央に第３ギアが固定されており、第３ギアが第３ウォームギアと噛合っていることを特徴とする。
【０００６】
本考案の健康器具によると、更に、第２Ｕ字形支持枠と、第３枢着軸と、第４枢着軸と、が設けられており、第２Ｕ字形支持枠の底辺の両側には、第３貫通孔と、第４貫通孔と、が設けられており、第３枢着軸の一端に第３止め部が設けられており、第４枢着軸の一端に第４止め部が設けられており、第３枢着軸の第３ロッド段が第３貫通孔を挿通した後、第３枢着軸の他端の第３ロッドが第３偏心ブロックの第３上偏心穴に挿入して固定されており、第３偏心ブロックの第３下偏心穴に第１独立軸の端部の第６ロッドが挿入して固定されており、第４枢着軸の第４ロッド段が第４貫通孔を挿通した後、第４枢着軸の他端の第４ロッドが第４偏心ブロックの第４上偏心穴に挿入して固定されており、第４偏心ブロックの第４下偏心穴に第２独立軸の端部の第８ロッドが挿入して固定されており、第２Ｕ字形支持枠は、ケースの内部に組み付けられており、上に向くようにケースから外部に突出しており、第２Ｕ字形支持枠のケースから外部に突出する部分の上面に第２プレートが固定されており、モータのシャフトが第１独立軸と第２独立軸とを駆動することが可能であり、第１独立軸と第２独立軸との回転が第１偏心ブロック、第２偏心ブロック、第３偏心ブロック及び第４偏心ブロックを経由することにより、第１枢着軸、第２枢着軸、第３枢着軸、第４枢着軸、第１Ｕ字形支持枠、第２Ｕ字形支持枠、第１プレート及び第２プレートは、楕円形軌跡に沿って交錯に上下動する運動パターンをし、これにより、ユーザの足が第１プレート及び第２プレートに立っているときには、ユーザがステッピング動作をする状態となり、ユーザが第１プレート及び第２プレートに座っているときには、ユーザがヒップアップ動作をする状態となることを特徴とする。
【０００７】
本考案の健康器具によると、伝動軸に複数の第１軸受が嵌め設けられており、これらの第１軸受により、ケースの内部に組み付けられているように伝動軸が支持されていることを特徴とする。
【０００８】
本考案の健康器具によると、第１独立軸の両側には、第２軸受がそれぞれ設けられており、第２軸受により、ケースの内部に組み付けられているように第１独立軸が支持されていることを特徴とする。
【０００９】
本考案の健康器具によると、第２独立軸の両側には、第３軸受がそれぞれ設けられており、第３軸受により、ケースの内部に組み付けられているように第２独立軸が支持されていることを特徴とする。
【００１０】
本考案の健康器具によると、ケースには、スポンジスリーブが嵌め設けられていることを特徴とする。
【００１１】
本考案の健康器具によると、その内部にモータが設けられており、モータのシャフトに第１ウォームギアが固定されているケースと、
水平に置かれるようにケースの内部の中央に設けられており、第１ギアと、第２ウォームギアと、第３ウォームギアと、が固定されており、第１ギアが第１ウォームギアと噛合っている伝動軸と、
その底辺には、第１貫通孔と、第２貫通孔と、第１枢着軸と、第２枢着軸と、が設けられており、第１枢着軸の一端に第１止め部が設けられており、第２枢着軸の一端に第２止め部が設けられており、第１枢着軸の第１ロッド段が第１貫通孔を挿通した後、第１枢着軸の他端の第１ロッドが第１偏心ブロックの第１下偏心穴に挿入して固定されており、第１偏心ブロックの第１上偏心穴には、第１独立軸の端部の第５ロッドが挿入して固定されており、第１独立軸の中央に第２ギアが設けられており、第２ギアが第２ウォームギアと噛合っており、第２枢着軸の第２ロッド段が第２貫通孔を挿通した後、第２枢着軸の他端の第２ロッドが第２偏心ブロックの第２下偏心穴に挿入して固定されており、第２偏心ブロックの第２上偏心穴には、第２独立軸の端部の第７ロッドが挿入して固定されており、第２独立軸の中央に第３ギアが設けられており、第３ギアが第３ウォームギアと噛合っている第１Ｕ字形支持枠と、
その底辺には、第３貫通孔と、第４貫通孔と、第３枢着軸と、第４枢着軸と、が設けられており、第３枢着軸の一端に第３止め部が設けられており、第４枢着軸の一端に第４止め部が設けられており、第３枢着軸の第３ロッド段が第３貫通孔を挿通した後、第３枢着軸の他端の第３ロッドが第３偏心ブロックの第３上偏心穴に挿入して固定されており、第３偏心ブロックの第３下偏心穴には、第１独立軸の端部の第６ロッドが挿入して固定されており、第４枢着軸の第４ロッド段が第４貫通孔を挿通した後、第４枢着軸の他端の第４ロッドが第４偏心ブロックの第４上偏心穴に挿入して固定されており、第４偏心ブロックの第４下偏心穴には、第２独立軸の端部の第８ロッドが挿入して固定されている第２Ｕ字形支持枠と、
を含む健康器具において、
第１Ｕ字形支持枠は、ケースの内部に組み付けられており、上に向くようにケースから外部に突出しており、第１Ｕ字形支持枠のケースから外部に突出する部分の上面に第１プレートが固定されており、
第２Ｕ字形支持枠は、ケースの内部に組み付けられており、上に向くようにケースから外部に突出しており、第２Ｕ字形支持枠のケースから外部に突出する部分の上面に第２プレートが固定されており、
モータのシャフトが第１独立軸と第２独立軸とを駆動することが可能であり、第１独立軸と第２独立軸との回転が第１偏心ブロック、第２偏心ブロック、第３偏心ブロック及び第４偏心ブロックを経由することにより、第１枢着軸、第２枢着軸、第３枢着軸、第４枢着軸、第１Ｕ字形支持枠、第２Ｕ字形支持枠、第１プレート及び第２プレートは、楕円形軌跡に沿って交錯に上下動する運動パターンをし、これにより、ユーザの足が第１プレート及び第２プレートに立っているときには、ユーザがステッピング動作をする状態となり、ユーザが第１プレート及び第２プレートに座っているときには、ユーザがヒップアップ動作をする状態となることを特徴とする。
【００１２】
本考案の健康器具によると、伝動軸に複数の第１軸受が嵌め設けられており、これらの第１軸受により、ケースの内部に組み付けられているように伝動軸が支持されていることを特徴とする。
【００１３】
本考案の健康器具によると、第１独立軸の両側には、第２軸受がそれぞれ設けられており、第２軸受により、ケースの内部に組み付けられているように第１独立軸が支持されていることを特徴とする。
【００１４】
本考案の健康器具によると、第２独立軸の両側には、第３軸受がそれぞれ設けられており、第３軸受により、ケースの内部に組み付けられているように第２独立軸が支持されていることを特徴とする。
【００１５】
本考案の健康器具によると、ケースには、スポンジスリーブが嵌め設けられていることを特徴とする。
【考案の効果】
【００１６】
本考案の健康器具によれば、運動強度がより低く、ヒップアップ及びステッピング機能を有するという効果を有する。
【図面の簡単な説明】
【００１７】
【図１】本考案の一実施例を示す分解斜視図である。
【図２】本考案の伝動部材の連結状態を示す斜視図である。
【図３】本考案の伝動部材により全ての枢着軸を伝動する動作を示す模式図である。
【図４】本考案の一実施例にＵ字形支持枠及びプレートを組付けた状態を示す斜視図である。
【図５】本考案の一実施例の動作を示す断面図である。
【図６】本考案の一実施例にスポンジスリーブを嵌め設けた状態を示す模式図である。
【図７】本考案の一実施例によりヒップアップ運動をする状態を示す模式図である。
【図８】本考案の一実施例によりステッピング運動をする状態を示す模式図である。
【考案を実施するための形態】
【００１８】
以下、本考案の実施の形態を図面に基づいて説明する。
図１から図８を参照する。図１は本考案の一実施例を示す分解斜視図であり、図２は本考案の伝動部材の連結状態を示す斜視図であり、図３は本考案の伝動部材により全ての枢着軸を伝動する動作を示す模式図であり、図４は本考案の一実施例にＵ字形支持枠及びプレートを組付けた状態を示す斜視図であり、図５は本考案の一実施例の動作を示す断面図であり、図６は本考案の一実施例にスポンジスリーブを嵌め設けた状態を示す模式図であり、図７は本考案の一実施例によりヒップアップ運動をする状態を示す模式図であり、図８は本考案の一実施例によりステッピング運動をする状態を示す模式図である。
【００１９】
本考案の一実施例の健康器具は、ケース１０と、伝動軸２０と、第１Ｕ字形支持枠３１と、第２Ｕ字形支持枠３２と、を含む。
【００２０】
ケース１０は、その内部に動力源が設けられている。前記動力源はモータ１１でもよい。モータ１１のシャフト１１１に第１ウォームギア１２が固定されている。
【００２１】
伝動軸２０は、水平に置かれるようにケース１０の内部の中央に設けられている。伝動軸２０には、第１ギア２１と、第２ウォームギア２２と、第３ウォームギア２３と、が固定されている。第１ギア２１は第１ウォームギア１２と噛合っている。伝動軸２０には、複数の第１軸受２４が嵌め設けられている。
【００２２】
第１Ｕ字形支持枠３１の底辺には、第１貫通孔３１１と、第２貫通孔３１２と、第１枢着軸４１と、第２枢着軸４２と、が設けられている。第１枢着軸４１の一端に第１止め部４１１が設けられている。第２枢着軸４２の一端に第２止め部４１２が設けられている。第１枢着軸４１の第１ロッド段４１２が第１貫通孔３１１を挿通した後、第１枢着軸４１の他端の第１ロッド４１３が第１偏心ブロック５１の第１下偏心穴５１１に挿入して固定されている。第１偏心ブロック５１の第１上偏心穴５１２には、第１独立軸６１の端部の第５ロッド６１１が挿入して固定されている。第１独立軸６１の中央に第２ギア６１３が設けられている。第２ギア６１３は第２ウォームギア２２と噛合っている。第２枢着軸４２の第２ロッド段４２２が第２貫通孔３１２を挿通した後、第２枢着軸４２の他端の第２ロッド４２３が第２偏心ブロック５２の第２下偏心穴５２１に挿入して固定されている。第２偏心ブロック５２の第２上偏心穴５２２には、第２独立軸６２の端部の第７ロッド６２１が挿入して固定されている。第２独立軸６２の中央に第３ギア６２３が設けられている。第３ギア６２３は第３ウォームギア２３と噛合っている。第１Ｕ字形支持枠３１は、ケース１０の内部に組み付けられており、上に向くようにケース１０から外部に突出しておいる。第１Ｕ字形支持枠３１のケース１０から外部に突出する部分の上面に第１プレート７１が固定されている。
【００２３】
第２Ｕ字形支持枠３２の底辺には、第３貫通孔３２１と、第４貫通孔３２２と、第３枢着軸４３と、第４枢着軸４４と、が設けられている。第３枢着軸４３の一端に第３止め部４３１が設けられている。第４枢着軸４４の一端に第４止め部４４１が設けられている。第３枢着軸４３の第３ロッド段４３２が第３貫通孔３２１を挿通した後、第３枢着軸４３の他端の第３ロッド４３３が第３偏心ブロック５３の第３上偏心穴５３１に挿入して固定されている。第３偏心ブロック５３の第３下偏心穴５３には、第１独立軸６１の端部の第６ロッド６１４が挿入して固定されている。第４枢着軸４４の第４ロッド段４４２が第４貫通孔３２２を挿通した後、第４枢着軸４４の他端の第４ロッド４４３が第４偏心ブロック５４の第４上偏心穴５４１に挿入して固定されている。第４偏心ブロック５４の第４下偏心穴５４２には、第２独立軸６２の端部の第８ロッド６２４が挿入して固定されている。第２Ｕ字形支持枠３２は、ケース１０の内部に組み付けられており、上に向くようにケース１０から外部に突出している。第２Ｕ字形支持枠３２のケース１０から外部に突出する部分の上面に第２プレート７２が固定されている。
【００２４】
モータ１１のシャフト１１１は第１独立軸６１と第２独立軸６２とを駆動することが可能である。第１独立軸６１と第２独立軸６２との回転が第１偏心ブロック５１、第２偏心ブロック５２、第３偏心ブロック５３及び第４偏心ブロック５４を経由することにより、第１枢着軸４１、第２枢着軸４２、第３枢着軸４３、第４枢着軸４４、第１Ｕ字形支持枠３１、第２Ｕ字形支持枠３２、第１プレート７１及び第２プレート７２は、楕円形軌跡に沿って交錯に上下動する運動パターンをする。これにより、ユーザの足が第１プレート７１及び第２プレート７２に立っているときには、ユーザがステッピング動作をする状態となる。ユーザが第１プレート７１及び第２プレート７２に座っているときには、ユーザがヒップアップ動作をする状態となる。
【００２５】
本考案の一実施例の健康器具のケース１０には、スポンジスリーブ８０が嵌め設けられている。
【産業上の利用可能性】
【００２６】
本考案は、健康器具に適用することができる。
【符号の説明】
【００２７】
１０  ケース
１１  モータ
１２  第１ウォームギア
２０  伝動軸
２１  第１ギア
２２  第２ウォームギア
２３  第３ウォームギア
２４  第１軸受
３１  第１Ｕ字形支持枠
３２  第２Ｕ字形支持枠
４１  第１枢着軸
４２  第２枢着軸
４３  第３枢着軸
４４  第４枢着軸
５１  第１偏心ブロック
５２  第２偏心ブロック
５３  第３偏心ブロック
５４  第４偏心ブロック
６１  第１独立軸
６２  第２独立軸
７１  第１プレート
７２  第２プレート
１１１  シャフト
３１１  第１貫通孔
３１２  第２貫通孔
３２１  第３貫通孔
３２２  第４貫通孔
４１１  第１止め部
４１２  第１ロッド段
４１３  第１ロッド
４２１  第２止め部
４２２  第２ロッド段
４２３  第２ロッド
４３１  第３止め部
４３２  第３ロッド段
４３３  第３ロッド
４４１  第４止め部
４４２  第４ロッド段
４４３  第４ロッド
５１１  第１下偏心穴
５１２  第１上偏心穴
５２１  第２下偏心穴
５２２  第２上偏心穴
５３１  第３上偏心穴
５３２  第３下偏心穴
５４１  第４上偏心穴
５４２  第４下偏心穴
６１１  第５ロッド
６１２  第２軸受
６１３  第２ギア
６１４  第６ロッド
６２１  第７ロッド
６２２  第３軸受
６２３  第３ギア
６２４  第８ロッド
【図１】
0003185551.tif 000003
【図２】
0003185551.tif 000004
【図３】
0003185551.tif 000005
【図４】
0003185551.tif 000006
【図５】
0003185551.tif 000007
【図６】
0003185551.tif 000008
【図７】
0003185551.tif 000009
【図８】
0003185551.tif 000010